(57)【要約】【課題】多くの情報を表示でき、その情報を表示する部分が邪魔になり難く且つ壁部から外れ難く、また、人目を引くコンクリートブロックを提供する。【解決手段】コンクリートブロック１０は、背面が背後の土砂石Ｓに当接する板状部１１を備えている。その板状部１１の一部には、情報を電気的に表示する情報表示装置１７と、該情報表示装置１７を上下左右の４方から取り囲むように配されて地中を表示する地中表示部１８とが、該板状部１１の正面より突出しないように埋込配置されている。このコンクリートブロック１０は、外部から送信された指令を受信する受信装置、及び情報表示装置１７による表示内容を外部に発信する発信装置としての通信装置が設置され、該外部からの指令に基づき情報表示装置１７による表示内容を遠隔操作可能、且つ、該外部への発信に基づき該表示内容を遠隔地に送信可能に構成されている。【選択図】図１
2008196113.tif 000002
【特許請求の範囲】
【請求項１】
背面が背後の土砂石に当接する板状部を備えたコンクリートブロックにおいて、
前記板状部の一部に、情報を電気的に表示する情報表示装置と、該情報表示装置を少なくとも１方から取り囲むように配されて地中を表示する地中表示部とを、該板状部の正面より突出しないように埋込配置したことを特徴とするコンクリートブロック。
【請求項２】
前記地中表示部が、地中を擬似的に表示するように装填された土砂石である請求項１記載のコンクリートブロック。
【請求項３】
前記地中表示部が、前記背後の土砂石を表示するものである請求項１記載のコンクリートブロック。
【請求項４】
外部から送信された指令を受信する受信装置が設置され、該指令に基づき前記情報表示装置による表示内容を遠隔操作可能に構成された請求項１〜３のいずれか一項に記載のコンクリートブロック。
【請求項５】
前記情報表示装置による表示内容を外部に発信する発信装置が設置され、該発信に基づき前記表示内容を遠隔地に送信可能に構成された請求項１〜４のいずれか一項に記載のコンクリートブロック。
【請求項６】
前記板状部には、前記情報表示装置及び前記地中表示部を保護する透明の保護板が、該板状部に対して取り外し可能に取り付けられた請求項１〜５のいずれか一項に記載のコンクリートブロック。
【請求項７】
前記情報表示装置は、前記板状部の前方を照らす照明に切替可能に設けられた請求項１〜６のいずれか一項に記載のコンクリートブロック。
【請求項８】
前記情報表示装置には、該装置に電気を供給する太陽電池がケーブルを介し接続された請求項１〜７のいずれか一項に記載のコンクリートブロック。
【発明の詳細な説明】
【技術分野】
【０００１】
本発明は、背面が背後の土砂石に当接する板状部を備えたコンクリートブロックに関し、具体的には、擁壁や通路や水路等に用いる各コンクリートブロックに関する。
【背景技術】
【０００２】
この種のコンクリートブロックの中には、人目を楽しませたり情報を伝達したりできるように工夫が施されたものがあり、例えば、特許文献１の擁壁用ブロック（図示略）のように、表面にデザインパネルが取り付けられたもの等がある。また、その他、ブロックではないが、コンクリートによる建造物に関していえば、特許文献２のトンネル（図示略）のように、その内壁に、画像を表示する表示装置が取り付けられたもの等がある。
【特許文献１】特開平９−３９３２号公報
【特許文献２】特開平９−２１１１７号公報
【発明の開示】
【発明が解決しようとする課題】
【０００３】
しかし、特許文献１の擁壁用ブロックにおいては、パネルを交換しない限りデザインが変化しないため、表示できる情報量が少なく、また、該パネルを頻繁に交換しない限りデザインに飽きがきてしまうおそれがある。
【０００４】
一方、特許文献２のトンネルにおいては、表示装置に表示される画像が変化するため情報量が多く、よって、特許文献１のような問題はないが、該表示装置は、トンネルの内壁に取り付けられているだけなので、壁面から突出して邪魔になったり、該内壁から外れてしまうおそれがある。
【０００５】
また、特許文献１，２とも、多くの場合、パネルや表示装置等は、より人目を引くものであることが好ましい。
【０００６】
そこで、多くの情報を表示でき、その情報を表示する部分が邪魔になり難く且つ外れ難く、また、人目を引くコンクリートブロックを提供することを目的とする。
【課題を解決するための手段】
【０００７】
上記目的を達成するため、本発明のコンクリートブロックは、背面が背後の土砂石に当接する板状部を備えたコンクリートブロックにおいて、前記板状部の一部に、情報を電気的に表示する情報表示装置と、該情報表示装置を（上下左右方の）少なくとも１方から取り囲むように配されて地中を表示する地中表示部とを、該板状部の正面より突出しないように埋込配置したことを特徴とする。ここで、前記土砂石は、土、砂、石のうちのいずれか１つであってもよいし、２つ以上の組合せであってもよい。
【０００８】
ここで、地中表示部を設置するのは、情報表示装置が板状部の背後の地中に設置されているような印象を、見る人に与えるためである。
【０００９】
前記コンクリートブロックは、特に限定されないが、次の（１）〜（４）に示すブロック等が例として挙げられる。
（１）鉛直方向へ延びる壁部と、該壁部の下端から水平方向へ延びる底部とを含み構成された擁壁等に用いるＬ字形ブロック。
（２）一対の鉛直方向へ延びる壁部と、該一対の壁部の上端どうしを繋ぐ水平方向へ延びる天井部とを含み構成された通路等に用いる門形ロック。
（３）一対の鉛直方向へ延びる壁部と、該一対の壁部の下端どうしを繋ぐ水平方向へ延びる底部とを含み構成された通路や水路等に用いるＵ字形ブロック。
（４）一対の鉛直方向へ延びる壁部と、該一対の壁部の上端どうしを繋ぐ水平方向へ延びる天井部と、該一対の壁部の下端どうしを繋ぐ水平方向へ延びる底部とを含み構成された地下通路や暗渠等に用いる環状ブロック。
【００１０】
また、前記情報表示装置と前記地中表示部とを埋込配置する前記板状部は、特に限定されないが、前記壁部である場合や、前記天井部である場合や、前記底部である場合等が例として挙げられる。
【００１１】
前記地中表示部は、特に限定されないが、次の（ｉ）（ii）に示すもの等が例として挙げられる。
（ｉ）地中を擬似的に表示するように装填された土砂石
（ii）前記背後の土砂石を表示するもの
【００１２】
前記地中表示部は、前記情報表示装置を１方〜４方のいずれから取り囲むものであってもよいが、少なくとも２方から取り囲むことが好ましく、少なくとも３方から取り囲むことがより好ましく、４方から取り囲むことが最も好ましい。より多くの方向から取り囲む方が、情報表示装置が背後の土の中に設置されているような印象を、見る人により強く与えることができるからである。
【００１３】
前記コンクリートブロックは、前記情報表示装置と前記地中表示部とがあること以外、特に限定されないが、該コンクリートブロックは、外部から送信された指令を受信する受信装置が設置され、該指令に基づき前記情報表示装置による表示内容を遠隔操作可能に構成されていることが好ましい。また、該コンクリートブロックは、前記情報表示装置による表示内容を外部に発信する発信装置が設置され、該発信に基づき前記表示内容を遠隔地に送信可能に構成されていることが好ましい。そして、これら指令及び表示内容を送信する手段としては、特に限定されないが、電磁波によるものや、有線によるもの等が例として挙げられ、より具体的には、携帯電話の電波によるものや、パソコン用の通信回線によるもの等が例として挙げられる。
【００１４】
また、前記板状部には、特に限定されないが、前記情報表示装置及び前記地中表示部を保護する透明の保護板が、該板状部に対して取り外し可能に取り付けられていることが好ましい。該透明板を取り外すことにより、情報表示装置や地中表示部を簡単に交換したり修理したりすることができるからである。前記保護板の材質は、特に限定されないが、樹脂、ガラス、金属、コンクリート等が例として挙げられる。
【００１５】
前記情報表示装置は、特に限定されないが、前記板状部の前方を照らす照明に切替可能に設けられていることが好ましい。また、前記情報表示装置には、特に限定されないが、該装置に電気を供給する太陽電池がケーブルを介し接続されていることが好ましい。
【発明の効果】
【００１６】
本発明によれば、情報を電気的に表示する情報表示装置があるため、多くの情報を表示できる。また、その情報伝達装置の周囲には、地中を表示する地中表示部があるため、該情報表示装置は、まるで板状部の背後の土砂石の中に設置されているようであり、それによって、人目を引くこともできる。また、これら情報表示装置と地中表示部とは、板状部の正面より突出しないように埋込配置されているため、邪魔になり難く且つ板状部から外れ難い。
【発明を実施するための最良の形態】
【００１７】
本発明のコンクリートブロック１０は、背面が背後の土砂石Ｓに当接する板状部１１を備えている。その板状部１１の一部には、情報を電気的に表示する情報表示装置１７と、該情報表示装置１７を上下左右方の少なくとも１方から取り囲むように配されて地中を表示する地中表示部１８とが、該板状部１１の正面より突出しないように埋込配置されている。このコンクリートブロック１０は、外部から送信された指令を受信する受信装置、及び情報表示装置１７による表示内容を外部に発信する発信装置としての通信装置２３が設置され、該外部からの指令に基づき情報表示装置１７による表示内容を遠隔操作可能、且つ、該外部への発信に基づき該表示内容を遠隔地に送信可能に構成されている。また、板状部１１には、情報表示装置１７及び地中表示部１８を保護する透明の保護板１４が、該板状部１１に対して取り外し可能に取り付けられている。情報表示装置１７は、板状部１１の前方を照らす照明に切替可能に設けられており、その情報表示装置１７には、該装置に電気を供給する太陽電池２０がケーブル２１を介し接続されている。
【実施例１】
【００１８】
本実施例１の図１〜図４に示すコンクリート製の擁壁用ブロック１０は、背面が背後の土砂石Ｓに当接する鉛直方向へ延びる板状の壁部１１と、該壁部１１の下端から水平方向に延びる板状の底部１９とを含むＬ字形の形状をしている。そして、壁部１１の一部には、文字又は画像等の情報を電気的に表示する情報表示装置１７と、該情報表示装置１７を上下左右の４方から取り囲むように配されて地中を表示する地中表示部１８とが、該壁部１１の正面より突出しないように埋込配置されている。また、その他、該擁壁用ブロック１０は、外部から送信された指令を受信する受信装置、及び情報表示装置１７による表示内容等の情報を外部に発信する発信装置としての通信装置２３が設置され、該外部からの指令に基づき情報表示装置１７による表示内容を遠隔操作可能、且つ、該外部への発信に基づき情報表示装置１７による表示内容等の情報を遠隔地に送信可能に構成されている。
【００１９】
詳しくは、この擁壁用ブロック１０は、壁部１１の前面に凹設され、よって、該前面に開口した展示用空間１３と、該展示用空間１３を前方から覆う透明の保護板１４とを含む展示ケース１２を備え、その展示ケース１２内に、前述の情報表示装置１７と地中表示部１８と通信装置２３とが設置されている。また、該展示ケース１２に対しては、排気、換気等により該ケース内の温度を調節する換気装置（図示略）が設置されている。
【００２０】
情報表示装置１７は、有機ＥＬ式のディスプレーであって、壁部１１の前方を照らす照明に切り替え可能となっている。この情報表示装置１７には、該装置に擁壁用ブロック１０の外部から電気を供給する太陽電池２０がケーブル２１を介し接続されている。
【００２１】
地中表示部１８は、展示ケース１２内に、情報表示装置１７を上下左右の４方から取り囲むように装填された様々な色の土砂石Ｓと、該土砂石Ｓ内に配された、本物又は擬似的な木の根Ｒとから構成されており、これらによって、地中内の状態を擬似的に表示している。
【００２２】
通信装置２３は、電波によって送信される携帯電話やパソコン等からの指令を受信し、また、情報表示装置１７による表示内容等の情報を、電波によって携帯電話やパソコン等に送信する装置であって、情報表示装置１７を制御するＣＰＵやメモリー等を備えた制御装置２２に対して接続されている。
【００２３】
保護板１４は、情報表示装置１７や地中表示部１８を保護するアクリル製の板材であって、壁部１１に対してプレハブ形式で取り外し可能に取り付けられている。よって、該保護板１４は、壁部１１に対して現場打ちコンクリートで固めて取り付けられてはいない。詳しくは、該保護板１４は、展示用空間１３の開口端付近に配され、その前方に該保護板１４を支持する支持フレーム１５が配されることによって、壁部１１に対して固定されている。
【００２４】
以上に示した擁壁用ブロック１０を、例えば公園等に設置する際の様子を図４を参照に以下に説明する。
（１）まず、斜面８の前方に、左右へ延びる溝９を凹設する。
（２）次に、該溝９に底部１９を嵌め込む形で、情報表示装置１７等を除く擁壁用ブロック１０本体を、左右に列をなすように隣接させて複数並べる。
（３）次に、該擁壁用ブロック１０本体の近くに太陽電池２０を設置し、ケーブル２１で擁壁用ブロック１０本体に接続する。
（４）次に、底部１９の上に土砂石Ｓを被せて埋め、また、斜面８と壁部１１の後面との間の隙間に土砂石Ｓを充填する。
（５）そして、最後に、擁壁用ブロック１０本体の展示用空間１３に情報表示装置１７、地中表示部１８、制御装置２２及び通信装置２３を配し、その前方に保護板１４を被せ、更にその前方に支持フレーム１５を被せ固定することによって、展示ケース１２の設置を完成させる。
【００２５】
本実施例１によれば、情報を電気的に表示する情報表示装置１７があるため、多くの情報を表示できる。そして、その情報表示装置１７の周囲には、地中を表示する地中表示部１８があるため、情報表示装置１７は、まるで壁部１１の背後の土砂石Ｓの中に設置されているようであり、人目を引くこともできる。
【００２６】
また、それら情報表示装置１７と地中表示部１８とは、壁部１１の正面より突出しないように該壁部１１に埋込配置されているため、邪魔になり難く且つ該壁部１１から外れ難い。また、それら情報表示装置１７及び地中表示部１８等の展示物に対しては、それらを保護する保護板１４が取り付けられているため、それら展示物は、落書きや破損等のいたずらをされ難い。また、その保護板１４は、壁部１１に対して取り外し可能に取り付けられているため、該保護板１４を取り外すことにより、該展示物を簡単に入れ替えることができるのに加え、該保護板１４に落書きや破損等のいたずらをされた場合等には、該保護板１４を取り替えることも簡単にできる。
【００２７】
また、情報表示装置１７は、現地で表示内容を変更できるのはもちろん、通信装置２３を介して遠隔操作も可能なため、管理者等は、必要とあれば、現地に行くことなく、会社、役所、自宅等から表示内容を変更することもできる。また、更に、該情報表示装置１７は、現地で表示内容を確認できるのはもちろん、通信装置２３によって表示内容を送信することも可能なため、利用者等は、必要とあれば、現地に行くことなく、会社、役所、自宅等で表示内容を確認することもできる。
【００２８】
また、情報表示装置１７には、太陽電池２０が接続されているため、遠方から電気を引く必要はない。また、その情報表示装置１７は、照明にも切替可能であるため、夜には街燈として利用することもできる。
【実施例２】
【００２９】
本実施例２の図５に示すコンクリート製の擁壁用ブロック３０は、実施例１の擁壁用ブロック１０と略同様であるが、展示ケース３２のみが実施例１の展示ケース１２とは相違している。すなわち、該展示ケース３２は、擁壁用ブロック３０の壁部３１に貫設された貫通穴の後方に設けられた展示用空間３３と、該展示用空間３３を前方から覆う透明の保護板３４と、該展示用空間３３を後方から覆う透明の背面板３６とを含み構成されている。
【００３０】
詳しくは、保護板３４と背面板３６とは、双方ともアクリル製の板材であって、壁部１１に対してプレハブ形式で取り外し可能に取り付けられている。保護板３４は２枚存在し、展示用空間の前側に二重に配され、実施例１と同様、支持フレーム１５によって支持されている。一方、背面板３６は、中央部分が凹んだ湾曲形状をしており、壁部３１の後面に、後方へ突出する形で取り付けられている。その背面板３６により前述の展示用空間３３が壁部３１の背後の土砂石Ｓから仕切られることによって該展示ケース３２が形成されている。その展示ケース３２内には、情報表示装置１７、制御装置２２及び通信装置２３のみが設置されており、装填された土砂石Ｓからなる実施例１のような地中表示部１８は設置されていない。なぜなら、情報表示装置１７の背後に、背面板３６を透し見える壁部３１の背後の土砂石Ｓが、地中表示部３８としての役割を果たすからである。なお、この展示ケース３２に対しては、実施例１と同様、排気、換気等により該ケース内の温度を調節する換気装置（図示略）が設置されている。
【００３１】
本実施例２によれば、背面板３６を透して壁部３１の背後の土砂石Ｓが見えるため、実施例１ように、展示ケースの内部に土砂石Ｓを装填することによって、該ケース内に地中表示部を別途設けなくても、情報表示装置１７は、壁部３１の背後の土砂石Ｓの中に設置されているように見える。
【００３２】
また、壁部３１の背後そのものが見えるため、該背後の地中の虫や植物等の様子を観察することもできる。
【００３３】
また、展示ケース３２内の展示用空間３３は、背面板３６によって壁部３１の背後の地中と仕切られているだけなので、該背後の地中の温度が伝わり易く、且つ地中は、年間温度差が少ないので、温度調節のための排気、換気等に多くのエネルギーを必要としない。
【実施例３】
【００３４】
本実施例３の図６に示すコンクリート製の通路用ブロック４０は、背面が背後の土砂石Ｓに当接する鉛直方向へ延びる一対の板状の壁部４１と、両壁板４１の上端どうしを繋ぐ水平方向に延びる板状の天井部４９とを含む門形の形状をしている。そして、壁部４１には、実施例１と同様の展示ケース１２が設けられている。
【００３５】
本実施例３によれば、実施例１と同様の効果を、通路用ブロック４０においても得ることができる。
【００３６】
なお、本発明は前記実施例に限定されるものではなく、発明の趣旨から逸脱しない範囲で適宜変更して具体化することもでき、例えば、実施例１において、図７（ａ）に示すように、情報表示装置１７を上方の１方のみから取り囲むように地中表示部１８を設置してもよく、また、図７（ｂ）に示すように、情報表示装置１７を左右の２方から取り囲むように地中表示部１８を設置してもよく、また、例えば、図７（ｃ）に示すように、情報表示装置１７を左右及び下方の３方から取り囲むように地中表示部１８を設置してもよい。
【００３７】
また、図８（ａ）に示すように、一対の鉛直方向へ延びる板状の壁部５１と、該一対の壁部５１の上端どうしを繋ぐ水平方向へ延びる板状の天井部５２と、該一対の壁部５１の下端どうしを繋ぐ水平方向へ延びる板状の底部５３とを含み構成された環状の通路用ブロック５０の天井部５２に、実施例１と同様の展示ケース１２を設けたり、図８（ｂ）に示すように、該通路用ブロック５０の底部５３に、該展示ケース１２を設けたりしてもよい。
【産業上の利用可能性】
【００３８】
本発明のコンクリートブロックに関しては、次の（１）〜（４）に示すような利用可能性が挙げられる。
（１）土中にある鉱物、動物、昆虫などの生態や成り立ちを、該コンクリートブロックの情報表示装置で紹介する。
（２）該コンクリートブロックの情報表示装置によって鉱物（ダイヤモンド）などの映像を見せ、屋外の鉱物歴史博物館として使用する。
（３）公園の擁壁部や歩道などの擁壁部に該コンクリートブロックを、市民と役所とのコミュニケーション手段として設置する。
（４）トンネルなどの通路となる部分に該コンクリートブロックによるコミュニケーションスペースを設け、広告や広報などを表示する。なお、その場合、該コミュニケーションスペースの設置は公共投資や民間投資で行われることとなるが、該コミュニケーションスペースでのＰＲが広告使用量として設置者に還元されるようにすることもできる。
【図面の簡単な説明】
【００３９】
【図１】本発明の実施例１の擁壁用ブロックを示す斜視図である。
【図２】同実施例１の擁壁用ブロックを示す、（ａ）は平面断面図、（ｂ）は正面図である。
【図３】同実施例１の情報表示装置及びその周辺の様子を示す模式図である。
【図４】同実施例１の擁壁用ブロックを設置する際の様子を示す斜視図である。
【図５】実施例２の擁壁用ブロックを示す、（ａ）は平面断面図、（ｂ）は正面図である。
【図６】実施例３の通路用ブロックを示す斜視図である。
【図７】変更例の擁壁用ブロックを示す正面図である。
【図８】変更例の通路用ブロックを示す斜視図である。
【符号の説明】
【００４０】
１０    擁壁用ブロック（コンクリートブロック）
１１    壁部（板状部）
１４    保護板
１７    情報表示装置
１８    地中表示部
２０    太陽電池
２１    ケーブル
２３    通信装置（受信装置及び発信装置）
３０    擁壁用ブロック（コンクリートブロック）
３１    壁部（板状部）
３４    保護板
３８    地中表示部
４０    通路用ブロック（コンクリートブロック）
４１    壁部（板状部）
５０    通路用ブロック（コンクリートブロック）
５２    天井部（板状部）
５３    底部（板状部）
Ｓ      土砂石
【図１】
2008196113.tif 000003
【図２】
2008196113.tif 000004
【図３】
2008196113.tif 000005
【図４】
2008196113.tif 000006
【図５】
2008196113.tif 000007
【図６】
2008196113.tif 000008
【図７】
2008196113.tif 000009
【図８】
2008196113.tif 000010